(57)【特許請求の範囲】
【請求項１】
圧縮機（３０）、高圧側熱交換器（４０）及び低圧側熱交換器（６０）を少なくとも備え、冷媒を循環させるヒートポンプサイクル（２０）と、
前記低圧側熱交換器（６０）から流出した冷媒の冷媒温度を検出する冷媒温度センサ（６３、６４）と、
前記低圧側熱交換器（６０）に送風される外気の外気温度を検出する外気温度センサ（６２）と、
前記低圧側熱交換器（６０）に付着した霜を除霜する除霜制御を行う制御部（１０）とを有し、
前記制御部（１０）は、前記除霜制御を行う際に、前記圧縮機（３０）の回転数を第１の回転数（ＲＣａ）に設定し、
前記冷媒温度が第２の温度（ＴＦａ）以上になると、
前記外気温度が第１の温度（ＴＧａ）以上の場合には、前記圧縮機（３０）の回転数を前記第１の回転数（ＲＣａ）から前記第１の回転数（ＲＣａ）よりも少ない第２の回転数（ＲＣｂ）に減少させ、
前記外気温度が前記第１の温度（ＴＧａ）未満の場合には、前記圧縮機（３０）の回転数を前記第１の回転数（ＲＣａ）に維持することを特徴とするヒートポンプ装置。
【請求項２】
前記圧縮機（３０）は、前記低圧側熱交換器（６０）から流出した冷媒を吸入するように設けられ、
前記冷媒温度センサ（６４）は、前記圧縮機（３０）の吸入側に設けられていることを特徴とする請求項１に記載のヒートポンプ装置。
【請求項３】
冷媒として二酸化炭素が用いられていることを特徴とする請求項１または２に記載のヒートポンプ装置。
【請求項４】
請求項１乃至３のいずれか１項に記載のヒートポンプ装置と、前記ヒートポンプ装置で加熱された温水を貯える貯湯タンク（７０）と、前記貯湯タンク（７０）内の温水を外部に供給する給湯流路（７２）とを有することを特徴とする給湯装置。
【請求項５】
圧縮機（３０）、高圧側熱交換器（４０）及び低圧側熱交換器（６０）を少なくとも備え、冷媒を循環させるヒートポンプサイクル（２０）と、
前記低圧側熱交換器（６０）から流出した冷媒の冷媒温度を検出する冷媒温度センサ（６３）と、
前記低圧側熱交換器（６０）に送風される外気の外気温度を検出する外気温度センサ（６２）とを備えたヒートポンプ装置（２）において、前記低圧側熱交換器（６０）に付着した霜を除霜する除霜制御を行うヒートポンプ装置用制御装置であって、
前記除霜制御を行う際に、前記圧縮機（３０）の回転数を第１の回転数（ＲＣａ）に設定し、
前記冷媒温度が第２の温度（ＴＦａ）以上になると、
前記外気温度が第１の温度（ＴＧａ）以上の場合には、前記圧縮機（３０）の回転数を前記第１の回転数（ＲＣａ）から前記第１の回転数（ＲＣａ）よりも少ない第２の回転数（ＲＣｂ）に減少させ、
前記外気温度が前記第１の温度（ＴＧａ）未満の場合には、前記圧縮機（３０）の回転数を前記第１の回転数（ＲＣａ）に維持することを特徴とするヒートポンプ装置用制御装置。
【発明の詳細な説明】
【技術分野】
【０００１】
本発明は、ヒートポンプ装置及びそれを備えた給湯装置並びにその制御装置に関する。
【背景技術】
【０００２】
特許文献１には、従来のヒートポンプ装置が開示されている。このヒートポンプ装置では、冷媒蒸発器の除霜運転が以下のように行われている。すなわち、冷媒蒸発器に霜が蓄積して除霜運転に入ると、まず圧縮機の回転数をｆ１に増加させる。その後、冷媒蒸発器出口側の配管温度ＴＡが上昇して第１の設定温度Ｔ２を超えたら、圧縮機の回転数をｆ２（ｆ２＜ｆ１）に減少させる。配管温度ＴＡがさらに上昇して第２の設定温度Ｔ０（Ｔ０＞Ｔ２）を超えたら、除霜運転を終了する。このヒートポンプ装置では、除霜運転途中に圧縮機の回転数を減少させているため、圧縮機からの騒音や圧縮機での消費電力を低減できる。
【特許文献１】特開昭６３−２７３７５０号公報（第４頁、第７図及び第８図）
【発明の開示】
【発明が解決しようとする課題】
【０００３】
しかしながら、除霜運転の際に冷媒蒸発器に流入させる必要のある高温冷媒の流量は、外気温度により異なっている。このため、除霜運転中に圧縮機の回転数を減少させてしまうと、外気温度によっては高温冷媒の流量が不足して除霜に長時間を要したり、霜の溶け残りが生じたりするという問題がある。
【０００４】
本発明の目的は、除霜運転中の圧縮機からの騒音を低減できるとともに霜の溶け残りを防止できるヒートポンプ装置及びそれを備えた給湯装置並びにその制御装置を提供することにある。
【課題を解決するための手段】
【０００５】
本発明は上記目的を達成するために、以下の技術的手段を採用する。
【０００６】
請求項１に記載の発明は、圧縮機（３０）、高圧側熱交換器（４０）及び低圧側熱交換器（６０）を少なくとも備え、冷媒を循環させるヒートポンプサイクル（２０）と、低圧側熱交換器（６０）から流出した冷媒の冷媒温度を検出する冷媒温度センサ（６３、６４）と、低圧側熱交換器（６０）に送風される外気の外気温度を検出する外気温度センサ（６２）と、低圧側熱交換器（６０）に付着した霜を除霜する除霜制御を行う制御部（１０）とを有し、制御部（１０）は、除霜制御を行う際に、圧縮機（３０）の回転数を第１の回転数（ＲＣａ）に設定し、冷媒温度が第２の温度（ＴＦａ）以上になると、外気温度が第１の温度（ＴＧａ）以上の場合には、圧縮機（３０）の回転数を第１の回転数（ＲＣａ）から第１の回転数（ＲＣａ）よりも少ない第２の回転数（ＲＣｂ）に減少させ、外気温度が第１の温度（ＴＧａ）未満の場合には、圧縮機（３０）の回転数を第１の回転数（ＲＣａ）に維持することを特徴とするヒートポンプ装置である。
【０００７】
これにより、外気温度が比較的高いときには除霜運転中の圧縮機（３０）の回転数を第１の回転数（ＲＣａ）から第２の回転数（ＲＣｂ）に減少させることができるため、圧縮機（３０）からの騒音を低減することができる。一方、外気温度が比較的低いときには、
圧縮機（３０）の回転数を第１の回転数（ＲＣａ）に維持して十分な量の高温冷媒を低圧
側熱交換器（６０）に流入させることができるため、霜の溶け残りを防止できる。さらに、外気温度が比較的低いときには十分な流量の高温冷媒を空気冷媒熱交換器６０に流入させることができるため、霜の溶け残りを防止できるとともに除霜を短時間で完了させることができる。
【００１１】
請求項２に記載の発明は、圧縮機（３０）が、低圧側熱交換器（６０）から流出した冷媒を吸入するように設けられ、冷媒温度センサ（６４）は、圧縮機（３０）の吸入側に設けられていることを特徴としている。圧縮機（３０）の吸入側の冷媒温度は低圧側熱交換器（６０）の出口側の冷媒温度とほぼ等しいため、上記発明と同様の効果が得られる。
【００１２】
請求項３に記載の発明のように、冷媒として二酸化炭素を用いてもよい。
【００１３】
上記の各発明は、請求項４に記載の発明のように、ヒートポンプ装置と、ヒートポンプ装置で加熱された温水を貯える貯湯タンク（７０）と、貯湯タンク（７０）内の温水を外部に供給する給湯流路（７２）とを有する給湯装置に適用できる。
【００１４】
請求項５に記載の発明は、圧縮機（３０）、高圧側熱交換器（４０）及び低圧側熱交換器（６０）を少なくとも備え、冷媒を循環させるヒートポンプサイクル（２０）と、低圧側熱交換器（６０）から流出した冷媒の冷媒温度を検出する冷媒温度センサ（６３）と、低圧側熱交換器（６０）に送風される外気の外気温度を検出する外気温度センサ（６２）とを備えたヒートポンプ装置（２）において、低圧側熱交換器（６０）に付着した霜を除霜する除霜制御を行うヒートポンプ装置用制御装置であって、除霜制御を行う際に、圧縮機（３０）の回転数を第１の回転数（ＲＣａ）に設定し、冷媒温度が第２の温度（ＴＦａ）以上になると、外気温度が第１の温度（ＴＧａ）以上の場合には、圧縮機（３０）の回転数を第１の回転数（ＲＣａ）から第１の回転数（ＲＣａ）よりも少ない第２の回転数（ＲＣｂ）に減少させ、外気温度が第１の温度（ＴＧａ）未満の場合には、圧縮機（３０）の回転数を第１の回転数（ＲＣａ）に維持することを特徴とするヒートポンプ装置用制御装置である。
【００１５】
これにより、請求項１に記載の発明と同様に、外気温度が比較的高いときには除霜運転中の圧縮機（３０）の回転数を第１の回転数（ＲＣａ）から第２の回転数（ＲＣｂ）に減少させることができるため、圧縮機（３０）からの騒音を低減することができる。一方、外気温度が比較的低いときには、圧縮機（３０）の回転数を第１の回転数（ＲＣａ）に維持して十分な量の高温冷媒を低圧側熱交換器（６０）に流入させることができるため、霜の溶け残りを防止できる。さらに、外気温度が比較的低いときには十分な流量の高温冷媒を空気冷媒熱交換器６０に流入させることができるため、霜の溶け残りを防止できるとともに除霜を短時間で完了させることができる。
【００１６】
なお、上記各手段の括弧内の符号は、後述する実施形態記載の具体的手段との対応関係の一例を示している。
【発明を実施するための最良の形態】
【００１７】
（第１実施形態）
本発明の第１実施形態について図１乃至図３を用いて説明する。図１は、本実施形態における給湯装置１の概略構成を模式的に示している。図１に示すように、給湯装置１は、高温高圧の冷媒との熱交換により水を加熱するヒートポンプ装置２を有している。ヒートポンプ装置２は、圧縮機３０、水冷媒熱交換器（高圧側熱交換器）４０、膨張弁５０及び空気冷媒熱交換器（低圧側熱交換器）６０が冷媒配管を介して順次環状に接続され、冷媒を循環させるヒートポンプサイクル２０を有している。冷媒としては二酸化炭素（ＣＯ２）が用いられている。
【００１８】
圧縮機３０は、ヒートポンプサイクル２０内の冷媒を高温高圧に圧縮して吐出する電動式の流体機器である。圧縮機３０の回転数は、後述する制御装置１０からの制御信号に基づいて、不図示のインバータ装置により可変に設定される。水冷媒熱交換器４０は水流路と冷媒流路とを有し、圧縮機３０から吐出されて冷媒流路を流れる高温高圧の冷媒との熱交換によって、水流路を流れる水を加熱する熱交換器である。
【００１９】
膨張弁５０は、水冷媒熱交換器４０から流出した冷媒を等エンタルピ的に減圧膨張させる減圧手段である。膨張弁５０の絞り開度は、制御装置１０からの制御信号に基づいて可変に設定される。空気冷媒熱交換器６０は、送風ファン６１により送風される外気との熱交換によって、膨張弁５０で減圧された低圧冷媒を蒸発させる熱交換器である。空気冷媒熱交換器６０から流出した低圧冷媒は、圧縮機３０の吸入側に流入するようになっている。
【００２０】
空気冷媒熱交換器６０よりも空気流れ上流側には、外気温度センサ６２が設けられている。外気温度センサ６２は、送風ファン６１により空気冷媒熱交換器６０に送風される外気の温度を検出し、制御装置１０に検出信号を出力するようになっている。
【００２１】
空気冷媒熱交換器６０の冷媒出口側には、冷媒温度センサ６３が設けられている。冷媒温度センサ６３は、空気冷媒熱交換器６０から流出した冷媒の温度を検出し、制御装置１０に検出信号を出力するようになっている。
【００２２】
また給湯装置１は、ヒートポンプ装置２の水冷媒熱交換器４０で加熱された温水を貯える貯湯タンク７０を有している。貯湯タンク７０は耐食性に優れた金属製であり縦長形状を有している。貯湯タンク７０の外周部には不図示の断熱材が設けられており、これにより貯湯タンク７０内に貯えられる温水は長時間に亘って保温されるようになっている。貯湯タンク７０内には温度の違いによる水の比重差によって所定の温度成層が形成されており、高温の温水ほど上部に貯えられ、低温の温水（又は水）ほど下部に貯えられる。
【００２３】
貯湯タンク７０の底面部には導入口７０ａが設けられている。導入口７０ａには、所定圧の水道水を貯湯タンク７０内に導入する給水配管７１が接続されている。貯湯タンク７０の上面部には導出口７０ｂが設けられている。導出口７０ｂには、貯湯タンク７０内の温水を外部に供給する給湯配管（給湯流路）７２が接続されている。給湯配管７２の下流側には不図示の湯水混合手段が接続されている。湯水混合手段では、給湯配管７２を介して供給される高温の温水と水道水とを混合することにより所定温度の温水が生成されるようになっている。
【００２４】
貯湯タンク７０の底面部には、貯湯タンク７０内の水を外側から吸入するための吸入口７０ｃが設けられている。貯湯タンク７０の上面部には、貯湯タンク７０内に高温の温水を吐出するための吐出口７０ｄが設けられている。吸入口７０ｃと吐出口７０ｄとの間は、水冷媒熱交換器４０の水流路を経由する循環回路７３を介して接続されている。循環回路７３には、当該循環回路７３内に水を循環させる循環ポンプ７４が設けられている。循環回路７３内の水は、水冷媒熱交換器４０においてヒートポンプサイクル２０内の循環冷媒に対し対向流となるように循環するようになっている。循環ポンプ７４は、制御装置１０からの制御信号に基づいて作動するとともに、作動状態信号を制御装置１０に出力するようになっている。吸入口７０ｃから吸入されて循環回路７３を循環する水は、水冷媒熱交換器４０において高温冷媒との熱交換により沸き上げられ温水となり、貯湯タンク７０内上部に戻るようになっている。
【００２５】
制御装置（制御部）１０は、各種の制御や演算を行う中央処理装置（ＣＰＵ）と、各種の制御プログラムや制御定数等が格納された読出し専用の記憶装置（ＲＯＭ）と、任意の記憶領域においてデータの書込み及び読出しが可能な記憶装置（ＲＡＭ）と、外部との信号の入出力を行う入出力ポートとを有している。制御装置１０は、外気温度センサ６２及び冷媒温度センサ６３を含む種々のセンサからの検出信号に基づいて、圧縮機３０、膨張弁５０、送風ファン６１及び循環ポンプ７４等を含むヒートポンプ装置２及び給湯装置１の作動制御を行うようになっている。
【００２６】
次に、本実施形態における給湯装置１の制御方法について説明する。制御装置１０は、種々のセンサからの検出信号に基づき圧縮機３０、膨張弁５０、送風ファン６１及び循環ポンプ７４等を制御する。これにより、貯湯タンク７０内下部の水を水冷媒熱交換器４０により加熱して貯湯タンク７０内上部に戻し、所定熱量の温水を貯湯タンク７０内に貯える通常の沸上げ運転制御が行われる。
【００２７】
また制御装置１０は、沸上げ運転制御中に、空気冷媒熱交換器６０に付着した霜を除霜するための除霜運転が必要か否かを随時判断する。例えば、外気温度センサ６２で検出される外気温度と、冷媒温度センサ６３で検出される空気冷媒熱交換器６０の出口側の冷媒温度との差が所定の閾値を超えると、制御装置１０は除霜運転が必要と判断して除霜制御を行う。
【００２８】
図２は、除霜制御の流れの一例を示すフローチャートである。図２に示すように、除霜制御が開始されると、制御装置１０は循環ポンプ７４を停止させ（ステップＳ１）、膨張弁５０の開度を所定開度（例えば全開）に設定する（ステップＳ２）。次に制御装置１０は、圧縮機３０の回転数を所定の除霜用回転数ＲＣａ（第１の回転数）に設定する（ステップＳ３）。これらのステップＳ１〜Ｓ３により、圧縮機３０から吐出される高温高圧の冷媒が高温を維持しながら空気冷媒熱交換器６０に流入し、空気冷媒熱交換器６０に付着した霜は徐々に融解する。空気冷媒熱交換器６０の霜の量が減少すると高温冷媒から放出される熱量が少なくなるため、空気冷媒熱交換器６０出口側の冷媒温度は除霜の進行と共に上昇する。
【００２９】
上記の除霜運転が開始されると、制御装置１０は、騒音や消費電力を低減するために、圧縮機３０の減速が可能な場合に圧縮機３０の回転数を減少させる圧縮機減速制御を行う。すなわち制御装置１０は、後述する２つ条件の双方を満たしていると判断したときに、圧縮機３０の回転数を減少させるようになっている。
【００３０】
まず制御装置１０は、外気温度センサ６２で検出される外気温度と、所定の閾値温度ＴＧａ（第１の温度；例えば−５℃）とを比較する（ステップＳ４）。外気温度が閾値温度ＴＧａ以上（外気温度≧ＴＧａ）であれば、制御装置１０は、圧縮機３０を減速させるための外気温度条件を満たしていると判断し、ＲＡＭ内の所定のフラグ記憶領域に圧縮機減速フラグを設定する（ステップＳ５）。一方、外気温度が閾値温度ＴＧａ未満（外気温度＜ＴＧａ）であれば、制御装置１０は外気温度条件を満たしていないと判断し、ステップＳ６に進む。
【００３１】
ステップＳ６では、制御装置１０が、冷媒温度センサ６３で検出される空気冷媒熱交換器６０出口側の冷媒温度と、所定の閾値温度ＴＦａ（第２の温度；例えば０℃）とを比較する。冷媒温度が閾値温度ＴＦａ以上（冷媒温度≧ＴＦａ）であれば、制御装置１０は、除霜が所定の段階まで進行したことを示す冷媒温度条件を満たしていると判断してステップＳ７に進む。一方、冷媒温度が閾値温度ＴＦａ未満（冷媒温度＜ＴＦａ）であれば、制御装置１０は冷媒温度条件を満たしていないと判断し、ステップＳ９に進む。
【００３２】
ステップＳ７では、制御装置１０が、ＲＡＭ内のフラグ記憶領域における圧縮機減速フラグの有無を判断する。フラグ記憶領域に圧縮機減速フラグがあれば、制御装置１０は外気温度条件及び冷媒温度条件の双方を満たしていると判断し、ステップＳ８に進む。ステップＳ８では、制御装置１０が、圧縮機３０の回転数をＲＣａからＲＣａよりも少ないＲＣｂ（第２の回転数；ＲＣａ＞ＲＣｂ）に変更する。一方、ステップＳ７においてフラグ記憶領域に圧縮機減速フラグがなければ、制御装置１０は、少なくとも外気温度条件を満たしていないと判断してステップＳ９に進む。
【００３３】
ステップＳ９では、制御装置１０が、冷媒温度センサ６３で検出される空気冷媒熱交換器６０出口側の冷媒温度と、上記の閾値温度ＴＦａよりも高い閾値温度ＴＦｂ（例えば５℃；ＴＦａ＜ＴＦｂ）とを比較する。冷媒温度が閾値温度ＴＦｂ以上（冷媒温度≧ＴＦｂ）であれば、制御装置１０は空気冷媒熱交換器６０の除霜が完了したと判断し、除霜運転を終了して通常の沸上げ運転に戻る。冷媒温度が閾値温度ＴＦｂ未満（冷媒温度＜ＴＦｂ）であればステップＳ６に戻り、ステップＳ６〜Ｓ９が繰り返される。
【００３４】
以上のように本実施形態では、外気温度が閾値温度ＴＧａ以上の場合には圧縮機減速フラグが設定され、圧縮機３０の回転数は空気冷媒熱交換器６０出口側の冷媒温度に基づいて制御される。図３は、圧縮機減速フラグが設定された場合に制御装置１０により設定される圧縮機３０の回転数の変化を示すグラフである。グラフの横軸は空気冷媒熱交換器６０出口側の冷媒温度を表し、縦軸は圧縮機３０の回転数を表している。図３に示すように、圧縮機減速フラグが設定された場合、冷媒温度が上昇して閾値温度ＴＦａ以上になると、圧縮機３０の回転数はＲＣａからＲＣｂに直ちに減少する。これにより、外気温度が比較的高いときには除霜運転中の圧縮機３０の回転数を減少させることができるため、圧縮機３０からの騒音や圧縮機３０での消費電力を低減することができる。
【００３５】
一方、外気温度が閾値温度ＴＧａ未満の場合には圧縮機減速フラグが設定されず、圧縮機３０の回転数はＲＣａに維持される。外気温度が低い場合には除霜に必要な熱量が大きくなるため、除霜運転中に圧縮機３０の回転数を減少させてしまうと、除霜に長時間を要したり霜の溶け残りが生じたりすることがある。しかしながら本実施形態によれば、外気温度がＴＧａ未満の場合には除霜完了まで圧縮機３０の回転数が比較的高回転に維持される。したがって、外気温度が比較的低いときには十分な流量の高温冷媒を空気冷媒熱交換器６０に流入させることができるため、霜の溶け残りを防止できるとともに除霜を短時間で完了させることができる。
【００３６】
また本実施形態では、除霜制御における圧縮機３０の回転数の設定がＲＣａ及びＲＣｂの２段であるため、上記の効果が単純な制御で得られる。
【００３７】
（第２実施形態）
次に、本発明の第２実施形態について図４を用いて説明する。本実施形態は、第１実施形態と比較して、圧縮機減速フラグが設定された場合の圧縮機３０の回転数が、冷媒温度に基づいて段階的に設定される点に特徴を有している。図４は、本実施形態において圧縮機減速フラグが設定された場合に制御装置１０により設定される圧縮機３０の回転数の変化を示すグラフである。図４に示すように、本実施形態では、空気冷媒熱交換器６０出口側の冷媒温度が上昇して閾値温度ＴＦａ以上になると、圧縮機３０の回転数はＲＣａからＲＣｃ（ＲＣａ＞ＲＣｃ＞ＲＣｂ）に切り替えられる。そして、空気冷媒熱交換器６０出口側の冷媒温度がさらに上昇して閾値温度ＴＦｃ（ＴＦｃ＞ＴＦａ）以上になると、圧縮機３０の回転数はＲＣｃからＲＣｂに切り替えられる。
【００３８】
本実施形態では、圧縮機３０の回転数を冷媒温度に基づき多段（本例では３段）に設定することにより、圧縮機３０の回転数を、溶け残りのない除霜を行うのに必要な最少の回転数に近づけることができる。したがって、圧縮機３０からの騒音や圧縮機３０での消費電力の低減効果が向上する。
【００３９】
（第３実施形態）
次に、本発明の第３実施形態について図５を用いて説明する。本実施形態は、第１実施形態と比較して、圧縮機減速フラグが設定された場合の圧縮機３０の回転数が、冷媒温度に基づいて連続的に設定される点に特徴を有している。図５は、本実施形態において圧縮機減速フラグが設定された場合に制御装置１０により設定される圧縮機３０の回転数の変化を示すグラフである。図５に示すように、本実施形態では、空気冷媒熱交換器６０出口側の冷媒温度が上昇して閾値温度ＴＦａ以上になると、圧縮機３０の回転数は冷媒温度の上昇に伴って連続的かつ単調に減少する。例えば制御装置１０のＲＯＭには、冷媒温度ＴＦａに対応する回転数ＲＣａのデータと、冷媒温度ＴＦｂに対応する回転数ＲＣｂのデータとを含む数点の冷媒温度に対応する回転数のデータが格納されている。ＴＦａとＴＦｂとの間の任意の冷媒温度での回転数は、制御装置１０が直線補間により算出するようになっている。
【００４０】
本実施形態では、圧縮機３０の回転数を冷媒温度に基づき連続的に設定することにより、圧縮機３０の回転数を、溶け残りのない除霜を行うのに必要な最少の回転数により近づけることができる。したがって、圧縮機３０からの騒音や圧縮機３０での消費電力の低減効果がさらに向上する。
【００４１】
（第４実施形態）
次に、本発明の第４実施形態について図６を用いて説明する。図６は、本実施形態におけるヒートポンプ装置５及び給湯装置４の概略構成を模式的に示している。図６に示すように、本実施形態のヒートポンプ装置５は、圧縮機３０の吸入側に設けられた冷媒温度センサ６４を有している。冷媒温度センサ６４は、空気冷媒熱交換器６０から流出して圧縮機３０に吸入される冷媒の温度を検出し、制御装置１０に検出信号を出力するようになっている。
【００４２】
上記第１乃至第３実施形態では、空気冷媒熱交換器６０から流出する冷媒温度として、冷媒温度センサ６３で検出される空気冷媒熱交換器６０出口側の冷媒温度を用いているが、本実施形態では、冷媒温度センサ６４で検出される圧縮機３０吸入側の冷媒温度を用いる。制御装置１０は、圧縮機３０吸入側の冷媒温度に基づいて、第１乃至第３実施形態のいずれかと同様の除霜制御を行うようになっている。圧縮機３０吸入側の冷媒温度は空気冷媒熱交換器６０出口側の冷媒温度とほぼ等しいため、本実施形態によっても第１乃至第３実施形態と同様の効果が得られる。
【００４３】
（その他の実施形態）
上記実施形態では、循環ポンプ７４を停止させて膨張弁５０の開度を例えば全開にすることにより、圧縮機３０から吐出された高温高圧冷媒を空気冷媒熱交換器６０に流入させているが、高温高圧冷媒を空気冷媒熱交換器６０に流入させるためのホットガスバイパス流路を別途設けてもよい。ホットガスバイパス流路は、水冷媒熱交換器４０及び膨張弁５０を迂回して圧縮機３０の吐出側と空気冷媒熱交換器６０の上流側との間に設けられる。またホットガスバイパス流路には、当該流路を開閉する電磁弁が設けられる。この場合制御装置１０は、通常の沸上げ運転時には電磁弁を閉状態に設定し、除霜運転時には膨張弁５０の開度を低開度に設定するとともに電磁弁を開状態に設定する。これにより、除霜運転が開始されると、圧縮機３０から吐出された高温高圧冷媒がホットガスバイパス流路を介して空気冷媒熱交換器６０に流入し、空気冷媒熱交換器６０の除霜が行われる。
【００４４】
また上記実施形態では、ヒートポンプサイクル２０として膨張弁５０を備えた膨張弁サイクルを例に挙げたが、エジェクタを備えたエジェクタサイクルにも適用できる。
【００４５】
さらに上記実施形態では、ヒートポンプサイクル２０を循環する冷媒としてＣＯ２を用いているが、Ｒ４１０等の混合冷媒やその他の冷媒を用いてもよい。
【００４６】
また上記実施形態ではヒートポンプ式の給湯装置１、４を例に挙げたが、ヒートポンプ式の空調装置等にも適用できる。
【図面の簡単な説明】
【００４７】
【図１】第１実施形態におけるヒートポンプ装置及び給湯装置の概略構成を模式的に示す図である。
【図２】除霜制御の流れを示すフローチャートである。
【図３】第１実施形態において圧縮機減速フラグが設定された場合に制御装置により設定される圧縮機の回転数の変化を示すグラフである。
【図４】第２実施形態において圧縮機減速フラグが設定された場合に制御装置により設定される圧縮機の回転数の変化を示すグラフである。
【図５】第３実施形態において圧縮機減速フラグが設定された場合に制御装置により設定される圧縮機の回転数の変化を示すグラフである。
【図６】第４実施形態におけるヒートポンプ装置及び給湯装置の概略構成を模式的に示す図である。
【符号の説明】
【００４８】
１、４  給湯装置
２、５  ヒートポンプ装置
１０  制御装置（制御部）
２０  ヒートポンプサイクル
３０  圧縮機
４０  水冷媒熱交換器（高圧側熱交換器）
５０  膨張弁
６０  空気冷媒熱交換器（低圧側熱交換器）
６２  外気温度センサ
６３、６４  冷媒温度センサ
７０  貯湯タンク
７２  給湯配管（給湯流路）
【図１】
0005082865.tif 000002
【図２】
0005082865.tif 000003
【図３】
0005082865.tif 000004
【図４】
0005082865.tif 000005
【図５】
0005082865.tif 000006
【図６】
0005082865.tif 000007